(57)【要約】      （修正有）【課題】家具本体にオプション支持体を介してオプション部材を支持させつつ、家具本体に付設した給電レールからオプション部材に電力を供給するように構成した家具において、給電レールの配置の自由度を高めつつ、オプション部材を安定して保持させる。【解決手段】天板付き家具にオプション支持体たる天板１１を介してオプション部材たるカップウォーマ３を支持させ、天板付き家具に付設した給電レール２２からカップウォーマ３に電力を供給するようにし、前記カップウォーマ３が、前記天板１１に直接支持されるオプション本体３１と、前記オプション本体３１に対し前記給電レール２２の長手方向とは交差する方向に沿って相対的にスライド可能に設けられ、前記給電レール２２の開口部２２ａに挿入されるとともにその開口部２２ａ内にある給電用電極２３ａ、２３ｂに接触する受電用電極３２ａ、３２ｂを備えている挿入部３２とを具備する構成とする。【選択図】図４
2011147667.tif 000002
【特許請求の範囲】
【請求項１】
家具本体にオプション支持体を介してオプション部材を支持させつつ、家具本体に付設した給電レールからオプション部材に電力を供給するように構成した家具であって、
前記オプション部材が、
前記オプション支持体に直接支持されるオプション本体と、
前記オプション本体に対し前記給電レールの長手方向とは交差する方向に沿って相対的にスライド可能に設けられ、前記給電レールの開口部に挿入されるとともにその開口部内にある給電用電極に接触する受電用電極を備えている挿入部と
を具備することを特徴とする家具。
【請求項２】
オプション支持体が、天板付き家具の天板である請求項１記載の家具。
【請求項３】
前記給電レールを前記天板の上方に近接させて設置している請求項１又は２記載の家具。
【請求項４】
オプション本体が、カップウォーマとしての機能を有する請求項１、２又は３記載の家具。
【請求項５】
請求項１、２、３又は４記載の家具を構成するために用いられるものであって、
オプション支持体に直接支持されるオプション本体と、
前記オプション本体に対し給電レールの長手方向とは交差する方向に沿って相対的にスライド可能に設けられ、前記給電レールの開口部に挿入されるとともにその開口部内にある給電用電極に接触する受電用電極を備えている挿入部と
を具備するオプション部材。
【請求項６】
オプション本体が、カップウォーマとしての機能を有する請求項５記載のオプション部材。
【発明の詳細な説明】
【技術分野】
【０００１】
本発明は、家具本体にオプション支持体を介してオプション部材を支持させつつ、家具本体に付設した給電レールからオプション部材に電力を供給するように構成した家具に関する。
【背景技術】
【０００２】
従来より、長手方向に延伸し内側に給電用電極を備えた給電レールに給電用電極を備えた挿入部を挿入することにより、オプション部材を長手方向に沿って移動可能に取り付けることができる構造が知られている（例えば、特許文献１を参照）。挿入部には予め受電用電極が設けられていて、オプション部材を取り付けた際にこの受電用電極が給電用電極に電気的に接続される。
【０００３】
上記の構造では、給電レールが、オプション部材に給電するだけでなく、オプション部材を機械的に支持する役割をも担うこととなる。このようなものであると、例えば、オプション部材の重量が大きい場合や、側方に開口した給電レールに側方からオプション部材を取り付ける場合において、オプション部材の挿入部が過大な荷重を受け、オプション部材が挿入部から脱落するおそれがある。
【０００４】
また、このような給電レールから電力の供給を受けるオプション部材の他の態様として、前記給電レールの開口部に挿入されるとともにその開口部内にある給電用電極に接触する受電用電極を備えている挿入部と、前記挿入部と別体をなしこの挿入部と電源ケーブルにより電気的に接続してなるとともにオプション支持体に支持させてなるオプション本体とを具備する態様が考えられている。このような態様を採用すると、挿入部とオプション本体との間を電源ケーブルの長さ分だけ離すことができるので、給電レールとオプション支持体との間の距離が電源ケーブルの長さ以内であればオプション本体をオプション支持体に安定して支持させることができる。しかし、このように電源ケーブルを利用して挿入部とオプション本体とを電気的に接続する態様では、電源ケーブルにより美観が損なわれる不具合や、電源ケーブルに手等を掛けた際に挿入部が給電レールから離脱してしまう不具合等が発生しうる。
【先行技術文献】
【特許文献】
【０００５】
【特許文献１】特開２００８−３０５７３７号公報
【発明の概要】
【発明が解決しようとする課題】
【０００６】
本発明は、オプション支持部及び給電レールの配置の自由度を高めつつ、オプション部材を安定して保持させるようにすることを目的とする。
【課題を解決するための手段】
【０００７】
すなわち本発明に係る家具は、家具本体にオプション支持体を介してオプション部材を支持させつつ、家具本体に付設した給電レールからオプション部材に電力を供給するように構成した家具であって、前記オプション部材が、前記オプション支持体に直接支持されるオプション本体と、前記オプション本体に対し前記給電レールの長手方向とは交差する方向に沿って相対的にスライド可能に設けられ、前記給電レールの開口部に挿入されるとともにその開口部内にある給電用電極に接触する受電用電極を備えている挿入部とを具備することを特徴とする。
【０００８】
本発明によれば、オプション支持体にオプション本体を直接機械的に支持させつつ、挿入部をオプション本体に対して記給電レールの長手方向とは交差する方向に沿って相対的にスライドさせることにより、挿入部の受電用電極を給電レールの給電用電極に接触可能な位置に配するようにすることができる。従って、オプション支持部及び給電レールの配置の自由度を高めつつ、オプション本体をオプション支持部に安定して保持させるようにすることができる。
【０００９】
オプション支持体が、天板付き家具の天板であれば、オプション本体を天板に載せ置いた状態で挿入部をオプション取付装置に取り付けることができるので、オプション部材をさらに安定して取り付けることができる。
【００１０】
前記給電レールを前記天板の上方に近接させて設置しているものであれば、先に挿入部をオプション取付装置に取り付け、その後オプション本体を挿入部に対して下方にスライドさせて取り付ける取付態様を実現できる。従って、このようなオプション部材の取り付けを容易に行うようにすることができる。
【００１１】
このようなオプション部材の好適な態様として、オプション本体が、カップウォーマとしての機能を有するものが挙げられる。
【発明の効果】
【００１２】
本発明によれば、挿入部をオプション本体に対してスライドさせることにより、オプション部材を安定してオプション支持体に保持させつつ挿入部をオプション取付装置に取り付けることができる。従って、オプション支持部及び給電レールの配置の自由度を高めつつ、オプション部材を安定して保持させるようにすることができる。
【図面の簡単な説明】
【００１３】
【図１】本発明の一実施形態に係る家具を示す斜視図。
【図２】同実施形態に係るカップウォーマを示す分解斜視図。
【図３】同実施形態に係るカップウォーマの取付態様を示す斜視図。
【図４】同実施形態に係るカップウォーマの取付態様を示す分解斜視図。
【発明を実施するための形態】
【００１４】
以下、本発明の一実施形態を、図１〜図４を参照して説明する。
【００１５】
本実施形態は、図１に示すように、天板１１を有する家具本体たる天板付家具１に、オプション取付装置２を介してオプション部材たるカップウォーマ３を取り付け可能に構成した家具である。
【００１６】
天板付家具１は、図１に示すように、オプション支持体たる天板１１と、この天板１１を支持する脚構造体１２とを有する。本実施形態では、前後に対をなす天板１１の反使用端縁同士を対向させた状態で配しており、天板１１間に配線挿通空間を形成している。この配線挿通空間の左右両端近傍からは、支柱１３を上方に起立させて設けている。支柱１３は、デスクトップパネル１４や、支柱１３の上端部同士を連結する笠木１５等を支持する。
【００１７】
オプション取付装置２は、前記図１に示すように、上記支柱１３間に架け渡すように支柱１３に固定してある。このオプション取付装置２は、支持レール２１と、給電レール２２とを具備する。
【００１８】
支持レール２１は、等断面形状をなしつつ巾方向に伸長している。この支持レール２１は、上下方向に離間して対向した頂板２１１及び底板２１２と、頂板２１１及び底板２１２の後部同士を連結する背板２１３とを有しており、前方に開口する概略チャネル状をなす。
【００１９】
頂板２１１の下面には、下方に突出した突条２１１ａを設けている。
【００２０】
底板２１２の上面には、上方に突出した突条２１２ａを設けている。この突条２１２ａは、頂板に設けた突条２１１ａと上下に対向している。
【００２１】
背板２１３は、上下方向の中間部が後方に屈曲して凹んでいる。
【００２２】
給電レール２２は、カップウォーマ３に給電するためのに給電するための給電用電極２３ａを備えている。この給電レール２２も、等断面形状をなしつつ巾方向に伸長している。また、給電レール２２は、側断面視概略Ｓ字状をなしていて、この上半部又は下半部（図示例では、下半部）に前記タスクライト４の後述する電極支持板４１３を挿入させるための開口部２２ａを有している。開口部２２ａの内周面、詳述すると上壁面及び下壁面の一方には、正極となる給電用電極２３ａ、他方には、負極となる給電用電極２３ｂをそれぞれ設けている。さらに具体的には、開口部２２ａ内に、上壁部及び下壁部を有するとともに、上壁面及び下壁面の一方に正極となる給電用電極２３ａ、他方に負極となる給電用電極２３ｂを形成してなる電極部材２３を挿入している。正極となる給電用電極２３ａの奥行き方向位置と、負極となる給電用電極２３ｂの奥行き方向位置とは異ならせている。また、電極部材２３のその他の部位は絶縁体、例えば樹脂により形成している。給電レール２２の開口部２２ａ及び給電用電極２３ａ、２３ｂは、巾方向に連続的に延伸している。また、給電レール２２の上面及び下面の前部には、支持レール２１の頂板２１１及び底板２１２に設けた突条２１１ａ、２１２ａに衝き当ててこの給電レール２２の位置決めを行うための前突条２２ｂを設けている。また、給電レール２２の上面及び下面の後部には、支持レール２１の背板２１３に衝き当ててこの給電レール２２の位置決めを行うための後突条２２ｃを設けている。
【００２３】
カップウォーマ３は、図２、図３及び図４に示すように、内部にカップを配置可能な空間を有するとともに空間内を加熱するための図示しない電熱装置を内蔵するオプション本体たるカップウォーマ本体３１と、このカップウォーマ本体３１に対して前記給電レール２２の長手方向とは交差する方向、具体的には上下スライド方向に可能に設けられ受電用電極を備えた挿入部３２とを備えている。
【００２４】
カップウォーマ本体３１は、内部にカップを配置可能な空間を有するとともに空間内を加熱するための電熱装置を内蔵する加熱部３１１と、この加熱部３１１の背面に設けてなり挿入部３２をスライド可能に支持するスライド支持部３１２とを有する。
【００２５】
スライド支持部３１２は、カップウォーマ本体３１１の後端から上方に起立させて設けてなり、内部に挿入部３２を上下方向にスライド可能に収納可能な挿入部支持穴３１２ａを有する。この挿入部支持穴３１２ａの左右両側面には、上下方向に延伸し挿入部３２の後述するガイド爪３２１と係り合うことが可能なガイド溝３１２ｂを設けている。
【００２６】
挿入部３２は、図５に示すように、カップウォーマ本体３１の電熱装置に電気的に接続した一対の受電用電極３２ａ、３２ｂを備え、前記給電レール２２の開口部２２ａに挿入させてなる。また、この挿入部３２の基部の左右両側面には、スライド支持部３１２のガイド溝３１２ｂにスライド可能に係り合わせてなるガイド爪３２１を設けている。受電用電極３２ａ、３２ｂは、開口部２２ａ内の給電用電極２３ａ、２３ｂに電気的に接触する。そして、図示は省略するが、このガイド爪３２１の先端部には受電用電極３２ａ、３２ｂに電気的に接続した電極をそれぞれ設けていて、この電極をカップウォーマ本体３１のガイド溝３１２ｂの溝底に形成した電極に接触させることにより挿入部３２からカップウォーマ本体３１に電力を供給するようにしている。
【００２７】
そして、この挿入部３２は、スライド支持部３１２により、図３に示す上端位置と図４に示す下端位置との間を移動可能に支持されている。
【００２８】
このようなカップウォーマ３をオプション取付装置２に取り付ける際には、以下の手順を行う。
【００２９】
まず、挿入部３２を給電レール２２の開口部２２ａに挿入する。
【００３０】
しかる後に、カップウォーマ本体３１を挿入部３２に対してスライドさせつつカップウォーマ本体３１の底面が天板１１に衝き当たるまでカップウォーマ本体３１を下方に移動させる。
【００３１】
このような操作を行うことにより、カップウォーマ本体３１を天板１１に載せ置いた状態で、挿入部３２の受電用電極３２ａ、３２ｂと給電用レール２２の給電用電極２３ａ、２３ｂとが接続され、カップウォーマ本体３１に電力が供給される。
【００３２】
本実施形態では、カップウォーマ３が、天板１１に直接支持されるカップウォーマ本体３１と、前記カップウォーマ本体３１に対し給電レール２２の長手方向とは交差する方向に沿って相対的にスライド可能に設けられ、給電レール２２の開口部２２ａに挿入されるとともにその開口部２２ａ内にある給電用電極２３ａ、２３ｂに接触する受電用電極３２ａ、３２ｂを備えている挿入部３２とを具備する。その上で、天板１１にカップウォーマ本体３１を機械的に支持させつつ、挿入部３２をカップウォーマ本体３１に対してスライドさせることによりオプション取付装置２に取り付けるようにできる。従って、天板１１に対するオプション取付装置２の配置の自由度を高めつつ、カップウォーマ３を安定して保持させるようにすることができる。
【００３３】
さらに、本実施形態の構成では、カップウォーマ本体３１を天板１１に載せ置いた状態で挿入部３２をオプション取付装置２に取り付けることができるので、カップウォーマ３をさらに安定して取り付けることができる。
【００３４】
そして、オプション取付装置２を天板１１の上方に近接させて設置しているので、先に挿入部３２をオプション取付装置２に取り付け、その後カップウォーマ本体３１を挿入部３２に対して下方にスライドさせて取り付ける取付態様を実現できる。従って、このようなカップウォーマ３の取り付けを容易に行うようにすることができる。
【００３５】
なお、本発明は以上に述べた実施形態に限らない。
【００３６】
例えば、天板付家具の天板だけでなく、天板付家具に設けた棚板にオプション本体を支持させるようにしてもよい。
【００３７】
また、カップウォーマに限らず、照明装置や扇風機等、他のオプション部材に同様の構成、すなわち、オプション部材本体に挿入部をスライド可能に支持させる構成を採用すれば、このようなオプション部材も同様に安定してオプション支持部に取り付けることができる。
【００３８】
その他、本発明の趣旨を損ねない範囲で種々に変形してよい。
【符号の説明】
【００３９】
１…天板付き家具（家具本体）
１１…天板（オプション支持体）
２２…給電レール
２３ａ、２３ｂ…給電用電極
３…カップウォーマ（オプション部材）
３１…カップウォーマ本体（オプション本体）
３２…挿入部
３２ａ、３２ｂ…受電用電極
【図１】
2011147667.tif 000003
【図２】
2011147667.tif 000004
【図３】
2011147667.tif 000005
【図４】
2011147667.tif 000006